(57)【要約】【課題】サーバの消費電力の２０％程度を占めるファン電力の削減が可能で、省エネで効率的な冷却効果が期待可能なサーバラックを提供すること。【解決手段】熱を発生するサーバを収納するサーバラックのラックレールを傾斜して取付け、当該サーバレールにサーバを傾斜して装着可能とし、空調装置の冷気をフリーアクセス床下側から供給し、当該冷気が自然対流によりラック内を通してラック外に排気されるように構成した。【選択図】図１
2014127586.tif 000002
【特許請求の範囲】
【請求項１】
データセンターの空調室に配置され、複数のサーバを収納するサーバラックであって、前記サーバラックは、前記複数のサーバを取付けるラックレールを、当該サーバの前方が前かがみになるように傾斜する構成とし、当該傾斜ラックレールに前記サーバの全てを傾斜して装着し、空調装置の機器冷却用空気（冷気）をフリーアクセス床下側から取り入れ、当該冷気がサーバラック内を通して外側に排出されるように冷気の自然対流を利用してサーバラック内のサーバを冷却可能な構成とすることを特徴とするサーバラック。
【請求項２】
請求項１に記載されたサーバラックにおいて、前記ラックレールは、前記サーバラックの本体に装着される第１のレールと、前記第１のレールに対して、前記サーバを装着する側が上方向に回動可能に取り付けられた第２のレールとからなり、前記第１のレールに前記サーバを装着した後、当該サーバの装着側が上方向に持ち上がるように前記第２のレールを傾斜させ、前記サーバが傾斜状態で設置される状態としたことを特徴とするサーバラック。
【請求項３】
データセンターの空調設備内のフリーアクセス床に設置され、当該フリーアクセス床下側から空調装置のサーバ冷却用空気（冷気）を吸気し、当該冷気によりラック内の機器を冷却し、当該ラック外に暖気として排出するように冷気の自然対流を利用して前記ラック内の前記機器を冷却可能とする構成であって、
前記複数の機器を収納するラックは、前記複数の機器が装着されるラックレールを、傾斜して取り付け、当該ラックレールが前記冷気側から前記暖気側に向けて上向きに傾斜しており、当該傾斜ラックレールに前記複数の機器を傾斜して装着可能とすることを特徴とするサーバラック。
【発明の詳細な説明】
【技術分野】
【０００１】
本発明は、例えば、データセンターの空調室に設置して好適なサーバラックに関する。
【背景技術】
【０００２】
従来、サーバラック列間のホットアイル又はコールドアイルをキャッピングし、空調環境におけるサーバルームの冷却効率を上げるシステムが提案されている。
例えば、本技術分野の背景技術として、特開２００５−２６０１４８号公報（特許文献１）および特開２０１０−１２２７４７号公報などがある。
【０００３】
特許文献１には、「通路を挟んで両側に設置され前面から給気して上面または背面から熱を帯びた空気を排気する機器収容用ラックに設けられ、前記上面または背面から排出された空気の前記前面側への回り込みを阻止する回り込み防止装置において、前記通路を挟んで両側のラックの上面にそれぞれ設けられる固定具と、これら固定具に両端部を支持される遮蔽板とを備え、該遮蔽板は、前記両側の固定具の少なくともいずれか一方側で固定されることを特徴とする回り込み防止装置。」が記載されている（請求項１参照）。
【０００４】
また、特許文献２には、「複数のラックからなるラック列を対向配置し、該ラック列間に形成されるラック間通路に、天井部と入口扉部と該入口扉部対向する位置に設置された背面部を設けて形成されたラック間通路遮蔽構造。」が記載されている（請求項１参照）。
【先行技術文献】
【特許文献】
【０００５】
【特許文献１】特開２００５−２６０１４８号公報
【特許文献２】特開２０１０−１２２７４７号公報
【発明の開示】
【発明が解決しようとする課題】
【０００６】
前記特許文献１には、電算機室用空調システムにおいて、電算機等の機器を十分に冷却することができるとともに省エネルギーにも貢献する回り込み防止装置が記載されている。また、前記特許文献２には、サーバルーム・データセンターにおいて、サーバ自体の省電力化と共に、空調効率を改善できるラック間通路遮蔽構造が記載されている。
【０００７】
しかし、これらの装置や構造は、空調システムやサーバルーム・データセンターの遮蔽板や天井パネル（密閉部材）を支持する固定具やレール部材などキャッピング用の各種部材が必要であり、またこれらの部材を、ラックの上面や側面に取り付ける必要があり、その構築に時間を要すると共に構造が複雑となる課題があった。
【０００８】
そこで、本発明は、係る課題に鑑み、サーバラックのラックレールを工夫した構成にすることより、自然対流の力を利用して、サーバの消費電力の２０％程度を占めるファン電力の削減が可能で、省エネで効率的な冷却効果が期待可能なサーバラックを提供することにある。
【課題を解決するための手段】
【０００９】
上記課題を解決するために、本発明は、熱を発生するサーバを収納するサーバラックのラックレールを傾斜して取付け、当該サーバレールにサーバを傾斜して装着し、空調装置の冷気をフリーアクセス床下側から供給し、当該冷気が自然対流によりラック内を通してラック外に排気されるように構成したことを特徴とするものである。
【００１０】
例えば、本発明のサーバラックは、データセンターの空調室に配置され、複数のサーバを収納するサーバラックであって、前記サーバラックは、前記複数のサーバを取付けるラックレールを、当該サーバの前方が前かがみになるように傾斜する構成とし、当該傾斜ラックレールに前記サーバの全てを傾斜して装着し、空調装置の機器冷却用空気（冷気）をフリーアクセス床下側から取り入れ、当該冷気がサーバラック内を通して外側に排出されるように冷気の自然対流を利用してサーバラック内のサーバを冷却可能な構成とすることを特徴とする。
【００１１】
前記ラックレールは、前記サーバラックの本体に装着される第１のレールと、前記第１のレールに対して、前記サーバを装着する側が上方向に回動可能に取り付けられた第２のレールとからなり、前記第１のレールに前記サーバを装着した後、当該サーバの装着側が上方向に持ち上がるように前記第２のレールを傾斜させ、前記サーバが傾斜状態で設置される状態としたことを特徴とする。
【００１２】
また、本発明のサーバラックは、データセンターの空調設備内のフリーアクセス床に設置され、当該フリーアクセス床下側から空調装置のサーバ冷却用空気（冷気）を吸気し、当該冷気によりラック内の機器を冷却し、当該ラック外に暖気として排出するように冷気の自然対流を利用して前記ラック内の前記機器を冷却可能とする構成であって、
前記複数の機器を収納するラックは、前記複数の機器が装着されるラックレールを、傾斜して取り付け、当該ラックレールが前記冷気側から前記暖気側に向けて上向きに傾斜しており、当該傾斜ラックレールに前記複数の機器を傾斜して装着可能とすることを特徴とする。
【発明の効果】
【００１３】
本発明によれば、特別なキャッピング装置などを用意することなく、フリーアクセス床からの冷気が、サーバラック内のサーバ内蔵ファンにより、効率よく、取り込め、機器の冷却効率を向上可能なサーバラックを提供することができる。
【００１４】
また、フリーアクセス床下側からの冷気を、サーバラック内に搭載したサーバ内蔵ファンにより、効率良く吸気が可能で、冷気の対流を促進することが可能となり、空調装置の冷気供給ファン動力や機器内蔵ファンのファン回転数の低減が図れ、空調装置からの冷気搬送ファン動力の低減が可能で、空調設備の省エネが期待できるサーバラックを提供することができる。
上述した以外の課題、構成及び効果は、以下の実施形態の説明により明らかにされる。
【図面の簡単な説明】
【００１５】
【図１】本発明のサーバラックの概略構成図である。
【図２】本発明のサーバラックのラックを搭載するラックレールとラック支柱との関係を示す一構成図である。
【図３】図３のラックレールを可動した状態の一例を示す図である。
【図４】図２のラックレールの拡大斜視図である。
【発明を実施するための形態】
【００１６】
以下、実施例について図面を用いて説明する。
本実施例では、データセンターでの空調システムの冷却効率向上を図ることを前提したシステムの例を説明する。
【実施例１】
【００１７】
図１は、本発明のサーバラックを概念的に示す概略構成図である。
サーバラック１０は、複数のラック支柱１０１、１０２、複数のラックレール１０３、を有する。サーバ３０は、ラックレール１０３に図示の如く、傾斜して搭載する。
また、サーバラック１１０は、空調室のフリーアクセス床２０に配置する。
【００１８】
フリーアクセス床２０は、複数の架台（図示せず）を有する。フリーアクセス床２０には、空調装置（図示せず）からのサーバラック冷却用冷気（冷気）をサーバラック側に供給可能とする複数の貫通孔を有する。
【００１９】
空調装置の冷気は、フリーアクセス床２０下から供給され、自然対流の力により、矢印で示す如く、サーバ３０の前面側から後面側に向けて流れ、サーバなどのＩＴ機器を冷却して排出される。
【００２０】
また、ＩＴ機器の消費電力の２０％程度を占めるファン電力の削減も合わせて行うようにスムーズに流れるようにする。
【００２１】
図２は、ラックレールとラック支柱との関係を示す図である。同図において、ラックレール１０３は、それぞれ固定ラックレール１０３１、可動ラックレール１０３２、を有する。
【００２２】
固定ラックレール１０３１は、ラック支柱１０１、１０２に固定具、例えばボルトナット１０１１、１０２１により固定する。可動ラックレール１０３２は、固定ラックレール１０３１に重なるように取付け、かつ固定ラックレール１０３１の端部に支軸１０３８を支点として上下方向に開閉自在に取り付ける。
【００２３】
固定ラックレール１０３１の側面には、可動ラックレール１０３２を開いたとき、当該可動ラックレールを開いた状態で保持する保持金具１０３３及び当該保持金具１０３３の下方側への移動を規制するストッパ１０３６を有する。保持金具１０３３は、固定具１０３５により回動可能に取付ける。
【００２４】
一方、可動ラックレール１０３２の側面には、固定金具１０３３の一部に形成された複数の凹部１０３７と嵌合する凸部１０３４を有する。これらの凹凸部の嵌合により、可動ラックレール１０３２は、所定の傾斜位置で保持することができる。
【００２５】
図３は、可動ラックレール１０３２を開いた状態を示す図である。可動ラックレールの開き具合、つまり傾斜は、保持具１０３３の凹部１０３７と可動ラックレール１０３２側の凸部１０３４との嵌合位置をもって調整することができる。
【００２６】
図４は、ラックレール１３０の固定ラックレール１０３１と可動ラックレール１０３２の拡大斜視図である。
【００２７】
固定ラックレール１０３１と可動ラックレール１０３２は、ともにＬ字状に形成し、その一片は、可動ラックレール１０３２を閉じた状態において、互いに接する。
【００２８】
すなわち、サーバラック１０のラックレール１０３は、サーバラック１０の両サイドのラック支柱（枠体）１０１、１０２に固定具１０１１、１０２１により固定するＬ字鋼の固定ラックレール（底板）１０３６と、当該固定ラックレール（底板）に対向し、かつその一端部に支軸（蝶番等）１０１３８により回動可能に取付け、サーバ３０が搭載される可動ラックレール（搭載板）１０３２と、可動ラックレール１０３２を開いた状態で保持する保持具１０３３、１２０３から構成する。
【００２９】
可動ラックレール１０３２は、サーバ３０を搭載面１０３９に搭載した後、当該サーバの装着側の手前を上方向に持ち上げ、所定の位置まで持ち上げた後、その位置に保持具１０３７等により傾斜状態で固定する。
本例では、可動ラックレールを手動で開閉する機構としているが、この機構を電動により自動形式としてもよい。
【００３０】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００３１】
１０  サーバラック
２０  フリーアクセス床
３０  サーバ
１０１、１０２  ラック支柱
１０３  ラックレール
１０３１  固定ラックレール
１０３２  可動ラックレール
１０３３  保持具
【図１】
2014127586.tif 000003
【図２】
2014127586.tif 000004
【図３】
2014127586.tif 000005
【図４】
2014127586.tif 000006